(57)【要約】【課題】  製造コストの高騰を来たすことなく径方向における小型化を図ると共に有害光の発生を抑制する。【解決手段】  少なくとも一つのレンズを有し、最も観察者側に配置されたレンズの最も観察者側の面が観察者側に凸の形状に形成され、以下の条件式（１）を満足する。（１）｜ＲＬ／ＤＨ｜＜１．７但し、ＲＬ：最も観察者側の面の曲率半径ＤＨ：最も観察者側のレンズの光軸からコバ面までの径方向における最短距離とする。  これにより、製造コストの高騰を来たすことなく径方向における小型化を図ると共に有害光の発生を抑制することができる。【選択図】  図３
2013152290.tif 000002
【特許請求の範囲】
【請求項１】
少なくとも一つのレンズを有し、
最も観察者側に配置されたレンズの最も観察者側の面が観察者側に凸の形状に形成され、
以下の条件式（１）を満足する
接眼光学系。
（１）｜ＲＬ／ＤＨ｜＜１．７
但し、
ＲＬ：最も観察者側の面の曲率半径
ＤＨ：最も観察者側のレンズの光軸からコバ面までの径方向における最短距離
とする。
【請求項２】
少なくとも一つのレンズを有し、
最も観察者側に配置されたレンズの最も観察者側の面が観察者側に凸の形状に形成され、
以下の条件式（２）を満足する
接眼光学系。
（２）｜ＲＬ／ＫＬ｜＞２．０
但し、
ＲＬ：最も観察者側の面の曲率半径
ＫＬ：最も観察者側のレンズにおけるコバ面の厚み
とする。
【請求項３】
前記最も観察者側に配置されたレンズとその隣に配置されたレンズとの空気間隔が、光軸からの径方向における距離に拘わらず０．５ｍｍ以下にされた
請求項１に記載の接眼光学系。
【請求項４】
前記最も観察者側に配置されたレンズとその隣に配置されたレンズとの空気間隔が、光軸からの径方向における距離に拘わらず０．５ｍｍ以下にされた
請求項２に記載の接眼光学系。
【請求項５】
物体側より観察者側へ順に正レンズと負レンズと正レンズが配置された
請求項１に記載の接眼光学系。
【請求項６】
物体側より観察者側へ順に正レンズと負レンズと正レンズが配置された
請求項２に記載の接眼光学系。
【請求項７】
被写体の像を光学像として取り込む撮像光学系と前記被写体の像を視認するための接眼光学系と前記撮像光学系によって形成された光学像を電気的信号に変換する撮像素子とを備え、
前記接眼光学系は、
少なくとも一つのレンズを有し、
最も観察者側に配置されたレンズの最も観察者側の面が観察者側に凸の形状に形成され、
以下の条件式（１）を満足する
撮像装置。
（１）｜ＲＬ／ＤＨ｜＜１．７
但し、
ＲＬ：最も観察者側の面の曲率半径
ＤＨ：最も観察者側のレンズの光軸からコバ面までの径方向における最短距離
とする。
【請求項８】
被写体の像を光学像として取り込む撮像光学系と前記被写体の像を視認するための接眼光学系と前記撮像光学系によって形成された光学像を電気的信号に変換する撮像素子とを備え、
前記接眼光学系は、
少なくとも一つのレンズを有し、
最も観察者側に配置されたレンズの最も観察者側の面が観察者側に凸の形状に形成され、
以下の条件式（２）を満足する
撮像装置。
（２）｜ＲＬ／ＫＬ｜＞２．０
ＲＬ：最も観察者側の面の曲率半径
ＫＬ：最も観察者側のレンズにおけるコバ面の厚み
とする。
【発明の詳細な説明】
【技術分野】
【０００１】
本技術は接眼光学系及び撮像装置の技術分野に関する。詳しくは、製造コストの高騰を来たすことなく径方向における小型化を図ると共に有害光の発生を抑制する接眼光学系及び撮像装置の技術分野に関する。
【背景技術】
【０００２】
近年、デジタルスチルカメラやデジタルビデオカメラ等の撮像装置が家庭用としても広く普及している。撮像装置には、一般に、被写体を視認するファインダーとして用いられる接眼光学系が配置されている。
【０００３】
このような撮像装置に設けられた従来の接眼光学系として、小型化又は有害光の発生を抑制するように構成されたものが知られている（例えば、特許文献１及び特許文献２参照）。
【０００４】
特許文献１に記載された接眼光学系は、焦点距離や主点間隔を規制することにより光軸方向への小型化を図るようにしている。
【０００５】
特許文献２に記載された接眼光学系は、二つのレンズ間に開口絞りを配置することにより有害光の発生を抑制している。
【０００６】
【特許文献１】特開２００７−２６４１７９号公報
【特許文献２】特開２００８−１４６０８７号公報
【発明の開示】
【発明が解決しようとする課題】
【０００７】
ところが、特許文献１に記載された接眼光学系にあっては、焦点距離や主点間隔を規制しており、性能を確保するために瞳径を大きくしなければならず、レンズの径方向における十分な小型化が図られていない。
【０００８】
また、特許文献２に記載された接眼光学系にあっては、二つのレンズ間に開口絞りを配置しているため、その分、部品点数や組付工数が多く製造コストが高くなり、また、開口絞りの配置スペースを必要とするためにレンズの径方向における大型化を来たすと言う問題がある。
【０００９】
さらに、レンズのコバ面に黒色等の塗装（墨塗り）を施してコバ面に到達した迷光を吸収し有害光として観察者に視認されないようにした撮像装置も存在するが、黒色等の塗装を施す場合には、レンズの製造後に塗装等の二次工程が必要になり、製造コストの高騰を来たすことになる。
【００１０】
そこで、本技術接眼光学系及び撮像装置は、上記した問題点を克服し、製造コストの高騰を来たすことなく径方向における小型化を図ると共に有害光の発生を抑制することを課題とする。
【課題を解決するための手段】
【００１１】
第１に、接眼光学系は、上記した課題を解決するために、少なくとも一つのレンズを有し、最も観察者側に配置されたレンズの最も観察者側の面が観察者側に凸の形状に形成され、以下の条件式（１）を満足するものである。
（１）｜ＲＬ／ＤＨ｜＜１．７
但し、
ＲＬ：最も観察者側の面の曲率半径
ＤＨ：最も観察者側のレンズの光軸からコバ面までの径方向における最短距離
とする。
【００１２】
従って、接眼光学系にあっては、最も観察者側に配置されたレンズのコバ面に達した迷光が、最も観察者側の面で全反射される。
【００１３】
第２に、別の接眼光学系は、上記した課題を解決するために、少なくとも一つのレンズを有し、最も観察者側に配置されたレンズの最も観察者側の面が観察者側に凸の形状に形成され、以下の条件式（２）を満足するものである。
（２）｜ＲＬ／ＫＬ｜＞２．０
但し、
ＲＬ：最も観察者側の面の曲率半径
ＫＬ：最も観察者側のレンズにおけるコバ面の厚み
とする。
【００１４】
従って、別の接眼光学系にあっては、最も観察者側に配置されたレンズのコバ面に達した迷光が、最も観察者側の面で全反射される。
【００１５】
第３に、上記した接眼光学系においては、前記最も観察者側に配置されたレンズとその隣に配置されたレンズとの空気間隔が、光軸からの径方向における距離に拘わらず０．５ｍｍ以下にされることが望ましい。
【００１６】
最も観察者側に配置されたレンズとその隣に配置されたレンズとの空気間隔が、光軸からの径方向における距離に拘わらず０．５ｍｍ以下にされることにより、最も観察者側に配置されたレンズの隣に配置されたレンズのコバ面に達した迷光が、最も観察者側の面で全反射される。
【００１７】
第４に、上記した別の接眼光学系においては、前記最も観察者側に配置されたレンズとその隣に配置されたレンズとの空気間隔が、光軸からの径方向における距離に拘わらず０．５ｍｍ以下にされることが望ましい。
【００１８】
最も観察者側に配置されたレンズとその隣に配置されたレンズとの空気間隔が、光軸からの径方向における距離に拘わらず０．５ｍｍ以下にされることにより、最も観察者側に配置されたレンズの隣に配置されたレンズのコバ面に達した迷光が、最も観察者側の面で全反射される。
【００１９】
第５に、上記した接眼光学系においては、物体側より観察者側へ順に正レンズと負レンズと正レンズが配置されることが望ましい。
【００２０】
物体側より観察者側へ順に正レンズと負レンズと正レンズが配置されることにより、最も観察者側の面の曲率半径を小さくした状態において、視野角が広くなる。
【００２１】
第６に、上記した別の接眼光学系においては、物体側より観察者側へ順に正レンズと負レンズと正レンズが配置されることが望ましい。
【００２２】
物体側より観察者側へ順に正レンズと負レンズと正レンズが配置されることにより、最も観察者側の面の曲率半径を小さくした状態において、視野角が広くなる。
【００２３】
撮像装置は、上記した課題を解決するために、被写体の像を光学像として取り込む撮像光学系と前記被写体の像を視認するための接眼光学系と前記撮像光学系によって形成された光学像を電気的信号に変換する撮像素子とを備え、前記接眼光学系は、少なくとも一つのレンズを有し、最も観察者側に配置されたレンズの最も観察者側の面が観察者側に凸の形状に形成され、以下の条件式（１）を満足する撮像装置。
（１）｜ＲＬ／ＤＨ｜＜１．７
但し、
ＲＬ：最も観察者側の面の曲率半径
ＤＨ：最も観察者側のレンズの光軸からコバ面までの径方向における最短距離
とする。
【００２４】
従って、撮像装置にあっては、最も観察者側に配置されたレンズのコバ面に達した迷光が、最も観察者側の面で全反射される。
【００２５】
別の撮像装置は、上記した課題を解決するために、被写体の像を光学像として取り込む撮像光学系と前記被写体の像を視認するための接眼光学系と前記撮像光学系によって形成された光学像を電気的信号に変換する撮像素子とを備え、前記接眼光学系は、少なくとも一つのレンズを有し、最も観察者側に配置されたレンズの最も観察者側の面が観察者側に凸の形状に形成され、以下の条件式（２）を満足する撮像装置。
（２）｜ＲＬ／ＫＬ｜＞２．０
但し、
ＲＬ：最も観察者側の面の曲率半径
ＫＬ：最も観察者側のレンズにおけるコバ面の厚み
とする。
【００２６】
従って、別の撮像装置にあっては、最も観察者側に配置されたレンズのコバ面に達した迷光が、最も観察者側の面で全反射される。
【発明の効果】
【００２７】
本技術接眼光学系及び撮像装置は、製造コストの高騰を来たすことなく径方向における小型化を図ると共に有害光の発生を抑制することができる。
【発明を実施するための最良の形態】
【００２８】
以下に、本技術接眼光学系及び撮像装置を実施するための最良の形態について説明する。
【００２９】
［接眼光学系の概要］
先ず、本技術接眼光学系の概要を説明する（図１乃至図５参照）。
【００３０】
接眼光学系１０は、図１に示すように、例えば、物体側から観察者側へ順に配列された第１のレンズ群ＧＲ１と第２のレンズ群ＧＲ２と第３のレンズ群ＧＲ３を有している。第１のレンズ群ＧＲ１と第２のレンズ群ＧＲ２と第３のレンズ群ＧＲ３は、例えば、それぞれ正の屈折力を有する第１のレンズＧ１と負の屈折力を有する第２のレンズＧ２と正の屈折力を有する第３のレンズＧ３によって構成されている。
【００３１】
尚、接眼光学系１０のレンズ群の数は任意であり、また、第１のレンズ群ＧＲ１と第２のレンズ群ＧＲ２と第３のレンズ群ＧＲ３は、それぞれ二つ以上のレンズを有していてもよい。
【００３２】
接眼光学系１０には第１のレンズＧ１の物体側に画像表示面Ｒ０が配置されている。画像表示面Ｒ０には図示しない撮像光学系によって取り込まれた被写体の光学像が表示され、画像表示面Ｒ０に表示される画像や映像が第１のレンズＧ１と第２のレンズＧ２と第３のレンズＧ３を介して観察者によって第３のレンズＧ３側から視認される。
【００３３】
第１のレンズＧ１と第２のレンズＧ２と第３のレンズＧ３の外周面はそれぞれコバ面として形成され、コバ面の厚み（光軸ＡＸ方向における幅）がそれぞれＫ１、Ｋ２、Ｋ３とされている。
【００３４】
第１のレンズＧ１は物体側の面の曲率半径がＲ１とされ観察者側の面の曲率半径がＲ２とされ、第２のレンズＧ２は物体側の面の曲率半径がＲ３とされ観察者側の面の曲率半径がＲ４とされ、第３のレンズＧ３は物体側の面の曲率半径がＲ５とされ観察者側の面の曲率半径がＲ６とされている。
【００３５】
最も観察者側のレンズ、即ち、第３レンズＧ３の光軸ＡＸからコバ面Ｋ３までの径方向における最短距離はＤＨとされている（図２参照）。
【００３６】
本技術接眼光学系は、少なくとも一つのレンズを有し、最も観察者側に配置されたレンズの最も観察者側の面が観察者側に凸の形状に形成され、以下の条件式（１）を満足する。
（１）｜ＲＬ／ＤＨ｜＜１．７
但し、
ＲＬ：最も観察者側の面の曲率半径
ＤＨ：最も観察者側のレンズの光軸からコバ面までの径方向における最短距離
とする。
【００３７】
上記したように、本技術接眼光学系にあっては、最も観察者側に配置されたレンズの最も観察者側の面が観察者側に凸の形状に形成され、条件式（１）を満足するように構成されている。条件式（１）におけるＲＬは、図１の例ではＲ６である。
【００３８】
条件式（１）は最も観察者側の面の曲率半径と最も観察者側のレンズの光軸からコバ面までの径方向における最短距離との比を規定する式であり、コバ面に達して反射された光（迷光）が最も観察者側の面に達したときの光の進行方向に関する条件（全反射条件）を示す。
【００３９】
条件式（１）の上限を上回ると、最も観察者側のレンズのコバ面に達した迷光が最も観察者側の面を透過されて観察者に届いてしまう。
【００４０】
本技術接眼光学系にあっては、条件式（１）を満足するように構成されているため、例えば、図３の概念図に示すように、第３レンズ群ＧＲ３（第３レンズＧ３）のコバ面Ｋ３に達した迷光が、第３レンズ群ＧＲ３の最も観察者側の面に大きな角度で入射される。
【００４１】
従って、迷光が最も観察者側の面で全反射されて観察者側に透過されず、観察者において迷光が有害光として発生せず接眼光学系の良好な品質を確保することができる。
【００４２】
また、従来の接眼光学系においては、コバ面に達して反射された迷光が最も観察者側の面を透過されないようにするためにレンズの外周部における正規光（画像表示面Ｒ０に表示される画像や映像を視認する光）の通過範囲より外周側にマージンＭを設ける必要があった（図４参照）。
【００４３】
しかしながら、本技術接眼光学系にあっては、コバ面に達した迷光が観察者の眼に届かないため、従来必要とされていたマージンＭを小さくすることができ、その分、レンズの径方向における小型化を図ることができる。特に、小型化及び高倍率化を図る場合には、観察者側に配置されるレンズの径が大きくなってしまうため、条件式（１）を満足することにより、有害光の発生を抑制した上で小型化及び高倍率化を確保することができる。
【００４４】
また、レンズの全体、即ち、レンズの外周までを正規光の通過領域にすることができるので、小型化を確保した上で広い視野角、例えば、３１°以上の視野角とハイアイポイントを両立することができる。
【００４５】
視野角とは接眼光学系から観察者へ向けて出射された光線のうち、観察者の眼に届く最も外側の光の光軸に対する角度である。
【００４６】
また、アポイントとは接眼光学系における最も観察者側に配置された保護ガラスと観察者の眼との距離であり、観察者が保護ガラスから大きく離れた距離において画像表示面に表示される画像や映像を視認することが可能になりハイアポイントを達成することができる。
【００４７】
さらに、黒色等の塗装（墨塗り）等のレンズの製造後の二次工程が必要なく、レンズの製造コストの低減、歩留まりの向上及び安定した品質の確保を図ることができる。
【００４８】
尚、接眼光学系は、以下の条件式（１）′を満足することがより望ましい。
（１）′｜ＲＬ／ＤＨ｜＜１．５
接眼光学系が条件式（１）′を満足することにより、有害光の発生を防止して接眼光学系の一層良好な品質を確保することができる。
【００４９】
別の本技術接眼光学系は、少なくとも一つのレンズを有し、最も観察者側に配置されたレンズの最も観察者側の面が観察者側に凸の形状に形成され、以下の条件式（２）を満足する。
（２）｜ＲＬ／ＫＬ｜＞２．０
但し、
ＲＬ：最も観察者側の面の曲率半径
ＫＬ：最も観察者側のレンズにおけるコバ面の厚み
とする。
【００５０】
条件式（２）は最も観察者側の面の曲率半径と最も観察者側のレンズにおけるコバ面の厚みとの関係を表す式である。条件式（２）におけるＲＬとＫＬは、図１の例ではそれぞれＲ６とＫ３である。
【００５１】
条件式（２）の上限を超えて最も観察者側の面の曲率半径が大きくなると、全反射条件を満足しなくなり、コバ面に達した迷光が最も観察者側の面を透過されて観察者に届いてしまう。
【００５２】
一方、最も観察者側のレンズにおけるコバ面の厚みが大きくなった場合にも全反射条件を満足できない領域が発生し、コバ面に達した迷光が最も観察者側の面を透過されて観察者に届いてしまう。
【００５３】
従って、接眼光学系が条件式（２）を満足することにより、例えば、図３の概念図に示すように、第３レンズ群ＧＲ３（第３レンズＧ３）のコバ面Ｋ３に達した迷光が、第３レンズ群ＧＲ３の最も観察者側の面に大きな角度で入射される。
【００５４】
従って、迷光が最も観察者側の面で全反射されて観察者側に透過されず、観察者において迷光が有害光として発生せず接眼光学系の良好な品質を確保することができる。
【００５５】
また、従来の接眼光学系においては、コバ面に達して反射された迷光が最も観察者側の面を透過されないようにするためにレンズの外周部における正規光（画像表示面Ｒ０に表示される画像や映像を視認する光）の通過範囲より外周側にマージンＭを設ける必要があった（図４参照）。
【００５６】
しかしながら、別の本技術接眼光学系にあっては、コバ面に達した迷光が観察者の眼に届かないため、従来必要とされていたマージンＭを小さくすることができ、その分、レンズの径方向における小型化を図ることができる。特に、小型化及び高倍率化を図る場合には、観察者側に配置されるレンズの径が大きくなってしまうため、条件式（２）を満足することにより、有害光の発生を抑制した上で小型化及び高倍率化を確保することができる。
【００５７】
また、レンズの全体、即ち、レンズの外周までを正規光の通過領域にすることができるので、小型化を確保した上で広い視野角、例えば、３１°以上の視野角とハイアイポイントを両立することができる。
【００５８】
視野角とは接眼光学系から観察者へ向けて出射された光線のうち、観察者の眼に届く最も外側の光の光軸に対する角度である。
【００５９】
また、アポイントとは接眼光学系における最も観察者側に配置された保護ガラスと観察者の眼との距離であり、観察者が保護ガラスから大きく離れた距離において画像表示面に表示される画像や映像を視認することが可能になりハイアポイントを達成することができる。
【００６０】
さらに、黒色等の塗装（墨塗り）等のレンズの製造後の二次工程が必要なく、レンズの製造コストの低減、歩留まりの向上及び安定した品質の確保を図ることができる。
【００６１】
尚、接眼光学系は、以下の条件式（２）′を満足することがより望ましい。
（２）′｜ＲＬ／ＫＬ｜＞２．５
接眼光学系が条件式（２）′を満足することにより、有害光の発生を防止して接眼光学系の一層良好な品質を確保することができる。
【００６２】
本技術の一実施形態による接眼光学系にあっては、最も観察者側に配置されたレンズとその隣に配置されたレンズとの空気間隔が、光軸からの径方向における距離に拘わらず０．５ｍｍ以下にされることが望ましい。
【００６３】
図１及び図２の例では、最も観察者側に配置されたレンズが第３のレンズＧ３であり、その隣に配置されたレンズは第２のレンズＧ２である。
【００６４】
上記のように、最も観察者側に配置されたレンズとその隣に配置されたレンズとの空気間隔が、光軸からの径方向における距離に拘わらず０．５ｍｍ以下にされることにより、図５に概念的に示すように、第２レンズ群ＧＲ２（第２レンズＧ２）のコバ面Ｋ２に達して反射された迷光が最も観察者側の面で全反射して観察者に届かない。
【００６５】
従って、観察者において迷光が有害光として発生せず接眼光学系の良好な品質を確保することができる。
【００６６】
また、第２レンズＧ２のマージンＭも小さくすることができるため、その分、レンズの径方向における小型化を図ることができる。
【００６７】
尚、接眼光学系においては、最も観察者側に配置されたレンズとその隣に配置されたレンズとの空気間隔が、光軸からの径方向における距離に拘わらず０．２ｍｍ以下にされることがより望ましい。
【００６８】
最も観察者側に配置されたレンズとその隣に配置されたレンズとの空気間隔が、光軸からの径方向における距離に拘わらず０．２ｍｍ以下にされることにより、有害光の発生を防止して接眼光学系の一層良好な品質を確保することができる。
【００６９】
本技術の一実施形態による接眼光学系にあっては、物体側より観察者側へ順に正レンズと負レンズと正レンズが配置されることが望ましい。
【００７０】
このように物体側より観察者側へ順に正負正の構成にすることにより、条件式（１）及び条件式（２）の最も観察者側の面の曲率半径ＲＬを小さくした状態において、広い視野角を確保することができる。
【００７１】
［接眼光学系の数値実施例］
以下に、本技術接眼光学系の具体的な実施の形態及び実施の形態に具体的な数値を適用した数値実施例について、図面及び表を参照して説明する。
【００７２】
尚、以下の各表や説明において示した記号の意味等については、下記に示す通りである。
【００７３】
「Ｓｉ」は物体側から観察者側へ数えた第ｉ番目の面の面番号、「Ｒｉ」は第ｉ番目の面の近軸曲率半径、「Ｄｉ」は第ｉ番目の面と第ｉ＋１番目の面の間の軸上面間隔（レンズの中心の厚み又は空気間隔）、「Ｎｉ」は第ｉ番目の面から始まるレンズ等のｄ線（λ＝５８７．６ｎｍ）における屈折率、「νｉ」は第ｉ番目の面から始まるレンズ等のｄ線におけるアッベ数を示す。
【００７４】
「面番号」に関し「ＡＳＰ」は当該面が非球面であることを示す。
【００７５】
「κ」は円錐定数（コーニック定数）、「Ａ４」、「Ａ６」、「Ａ８」、「Ａ１０」、「Ａ１２」、「Ａ１４」はそれぞれ４次、６次、８次、１０次、１２次、１４次の非球面係数を示す。
【００７６】
尚、以下の非球面係数を示す各表において、「Ｅ−ｎ」は１０を底とする指数表現、即ち、「１０のマイナスｎ乗」を表しており、例えば、「０．１２３４５Ｅ−０５」は「０．１２３４５×（１０のマイナス五乗）」を表している。
【００７７】
各実施の形態において用いられた接眼光学系には、レンズ面が非球面に形成されたものがある。非球面形状は、「ｘ」をレンズ面の頂点からの光軸方向における距離（サグ量）、「ｙ」を光軸方向に垂直な方向における高さ（像高）、「ｃ」をレンズの頂点における近軸曲率（曲率半径の逆数）、「κ」を円錐定数（コーニック定数）、「Ａ４」、「Ａ６」、「Ａ８」、「Ａ１０」、「Ａ１２」、「Ａ１４」をそれぞれ４次、６次、８次、１０次、１２次、１４次の非球面係数とすると、以下の数式１によって定義される。
【００７８】
【数１】
2013152290.tif 000003
【００７９】
＜第１の実施の形態＞
図６は、本技術の第１の実施の形態における接眼光学系１のレンズ構成を示している。
【００８０】
接眼光学系１は、物体側より観察者側へ順に、正の屈折力を有する第１レンズ群ＧＲ１と、負の屈折力を有する第２レンズ群ＧＲ２と、正の屈折力を有する第３レンズ群ＧＲ３とが配列されて成る。
【００８１】
第１レンズ群ＧＲ１と第２レンズ群ＧＲ２と第３レンズ群ＧＲ３は位置が常時固定とされている。第１のレンズ群ＧＲ１は正の屈折力を有する第１のレンズＧ１によって構成され、第２のレンズ群ＧＲ２は負の屈折力を有する第２のレンズＧ２によって構成され、第３のレンズ群ＧＲ３は正の屈折力を有する第３のレンズＧ３によって構成されている。
【００８２】
表１に、第１の実施の形態における接眼光学系１に具体的数値を適用した数値実施例１のレンズデーターを示す。
【００８３】
【表１】
2013152290.tif 000004
【００８４】
接眼光学系１において、第１レンズ群ＧＲ１の正レンズＧ１の両面（第１面、第２面）、第２レンズ群ＧＲ２の負レンズＧ２の両面（第３面、第４面）及び第３レンズ群ＧＲ３の正レンズＧ３の両面（第５面、第６面）は非球面に形成されている。数値実施例１における非球面の４次、６次、８次、１０次、１２次、１４次の非球面係数Ａ４、Ａ６、Ａ８、Ａ１０、Ａ１２、Ａ１４を円錐定数κと共に表２に示す。
【００８５】
【表２】
2013152290.tif 000005
【００８６】
＜第２の実施の形態＞
図６は、本技術の第２の実施の形態における接眼光学系２のレンズ構成を示している。
【００８７】
接眼光学系２は、物体側より観察者側へ順に、正の屈折力を有する第１レンズ群ＧＲ１と、負の屈折力を有する第２レンズ群ＧＲ２と、正の屈折力を有する第３レンズ群ＧＲ３とが配列されて成る。
【００８８】
第１レンズ群ＧＲ１と第２レンズ群ＧＲ２と第３レンズ群ＧＲ３は位置が常時固定とされている。第１のレンズ群ＧＲ１は正の屈折力を有する第１のレンズＧ１によって構成され、第２のレンズ群ＧＲ２は負の屈折力を有する第２のレンズＧ２によって構成され、第３のレンズ群ＧＲ３は正の屈折力を有する第３のレンズＧ３によって構成されている。
【００８９】
表３に、第２の実施の形態における接眼光学系２に具体的数値を適用した数値実施例２のレンズデーターを示す。
【００９０】
【表３】
2013152290.tif 000006
【００９１】
接眼光学系２において、第１レンズ群ＧＲ１の正レンズＧ１の両面（第１面、第２面）、第２レンズ群ＧＲ２の負レンズＧ２の両面（第３面、第４面）及び第３レンズ群ＧＲ３の正レンズＧ３の両面（第５面、第６面）は非球面に形成されている。数値実施例２における非球面の４次、６次、８次、１０次、１２次、１４次の非球面係数Ａ４、Ａ６、Ａ８、Ａ１０、Ａ１２、Ａ１４を円錐定数κと共に表４に示す。
【００９２】
【表４】
2013152290.tif 000007
【００９３】
＜第３の実施の形態＞
図６は、本技術の第３の実施の形態における接眼光学系３のレンズ構成を示している。
【００９４】
接眼光学系３は、物体側より観察者側へ順に、正の屈折力を有する第１レンズ群ＧＲ１と、負の屈折力を有する第２レンズ群ＧＲ２と、正の屈折力を有する第３レンズ群ＧＲ３とが配列されて成る。
【００９５】
第１レンズ群ＧＲ１と第２レンズ群ＧＲ２と第３レンズ群ＧＲ３は位置が常時固定とされている。第１のレンズ群ＧＲ１は正の屈折力を有する第１のレンズＧ１によって構成され、第２のレンズ群ＧＲ２は負の屈折力を有する第２のレンズＧ２によって構成され、第３のレンズ群ＧＲ３は正の屈折力を有する第３のレンズＧ３によって構成されている。
【００９６】
表５に、第３の実施の形態における接眼光学系３に具体的数値を適用した数値実施例３のレンズデーターを示す。
【００９７】
【表５】
2013152290.tif 000008
【００９８】
接眼光学系３において、第１レンズ群ＧＲ１の正レンズＧ１の両面（第１面、第２面）、第２レンズ群ＧＲ２の負レンズＧ２の両面（第３面、第４面）及び第３レンズ群ＧＲ３の正レンズＧ３の両面（第５面、第６面）は非球面に形成されている。数値実施例３における非球面の４次、６次、８次、１０次、１２次、１４次の非球面係数Ａ４、Ａ６、Ａ８、Ａ１０、Ａ１２、Ａ１４を円錐定数κと共に表６に示す。
【００９９】
【表６】
2013152290.tif 000009
【０１００】
＜第４の実施の形態＞
図６は、本技術の第４の実施の形態における接眼光学系４のレンズ構成を示している。
【０１０１】
接眼光学系４は、物体側より観察者側へ順に、正の屈折力を有する第１レンズ群ＧＲ１と、負の屈折力を有する第２レンズ群ＧＲ２と、正の屈折力を有する第３レンズ群ＧＲ３とが配列されて成る。
【０１０２】
第１レンズ群ＧＲ１と第２レンズ群ＧＲ２と第３レンズ群ＧＲ３は位置が常時固定とされている。第１のレンズ群ＧＲ１は正の屈折力を有する第１のレンズＧ１によって構成され、第２のレンズ群ＧＲ２は負の屈折力を有する第２のレンズＧ２によって構成され、第３のレンズ群ＧＲ３は正の屈折力を有する第３のレンズＧ３によって構成されている。
【０１０３】
表７に、第４の実施の形態における接眼光学系４に具体的数値を適用した数値実施例４のレンズデーターを示す。
【０１０４】
【表７】
2013152290.tif 000010
【０１０５】
接眼光学系４において、第１レンズ群ＧＲ１の正レンズＧ１の両面（第１面、第２面）、第２レンズ群ＧＲ２の負レンズＧ２の両面（第３面、第４面）及び第３レンズ群ＧＲ３の正レンズＧ３の両面（第５面、第６面）は非球面に形成されている。数値実施例４における非球面の４次、６次、８次、１０次、１２次、１４次の非球面係数Ａ４、Ａ６、Ａ８、Ａ１０、Ａ１２、Ａ１４を円錐定数κと共に表８に示す。
【０１０６】
【表８】
2013152290.tif 000011
【０１０７】
［接眼光学系の条件式の各値］
以下に、本技術接眼光学系の条件式の各値について説明する。
【０１０８】
表９に接眼光学系１乃至接眼光学系４における前記条件式（１）及び条件式（２）の各値を示す。
【０１０９】
【表９】
2013152290.tif 000012
【０１１０】
表９から明らかなように、接眼光学系１乃至接眼光学系４は条件式（１）及び条件式（２）を満足するようにされている。
【０１１１】
［撮像装置の概要］
本技術撮像装置は、被写体の像を光学像として取り込む撮像光学系と前記被写体の像を視認するための接眼光学系と前記撮像光学系によって形成された光学像を電気的信号に変換する撮像素子とを備え、接眼光学系が、少なくとも一つのレンズを有し、最も観察者側に配置されたレンズの最も観察者側の面が観察者側に凸の形状に形成され、以下の条件式（１）を満足する。
（１）｜ＲＬ／ＤＨ｜＜１．７
但し、
ＲＬ：最も観察者側の面の曲率半径
ＤＨ：最も観察者側のレンズの光軸からコバ面までの径方向における最短距離
とする。
【０１１２】
上記したように、本技術撮像装置にあっては、接眼光学系が、最も観察者側に配置されたレンズの最も観察者側の面が観察者側に凸の形状に形成され、条件式（１）を満足するように構成されている。
【０１１３】
条件式（１）は最も観察者側の面の曲率半径と最も観察者側のレンズの光軸からコバ面までの径方向における最短距離との比を規定する式であり、コバ面に達して反射された光（迷光）が最も観察者側の面に達したときの光の進行方向に関する条件（全反射条件）を示す。
【０１１４】
条件式（１）の上限を上回ると、最も観察者側のレンズのコバ面に達した迷光が最も観察者側の面を透過されて観察者に届いてしまう。
【０１１５】
本技術撮像装置にあっては、接眼光学系が、条件式（１）を満足するように構成されているため、例えば、図３の概念図に示すように、第３レンズ群ＧＲ３（第３レンズＧ３）のコバ面Ｋ３に達した迷光が、第３レンズ群ＧＲ３の最も観察者側の面に大きな角度で入射される。
【０１１６】
従って、迷光が最も観察者側の面で全反射されて観察者側に透過されず、観察者において迷光が有害光として発生せず接眼光学系の良好な品質を確保することができる。
【０１１７】
また、本技術撮像装置にあっては、接眼光学系が、コバ面に達した迷光が観察者の眼に届かないため、従来必要とされていたマージンＭを小さくすることができ、その分、レンズの径方向における小型化を図ることができる。特に、小型化及び高倍率化を図る場合には、観察者側に配置されるレンズの径が大きくなってしまうため、条件式（１）を満足することにより、有害光の発生を抑制した上で小型化及び高倍率化を確保することができる。
【０１１８】
さらに、レンズの全体、即ち、レンズの外周までを正規光の通過領域にすることができるので、小型化を確保した上で広い視野角、例えば、３１°以上の視野角とハイアイポイントを両立することができる。
【０１１９】
さらにまた、黒色等の塗装（墨塗り）等のレンズの製造後の二次工程が必要なく、レンズの製造コストの低減、歩留まりの向上及び安定した品質の確保を図ることができる。
【０１２０】
別の本技術撮像装置は、被写体の像を光学像として取り込む撮像光学系と前記被写体の像を視認するための接眼光学系と前記撮像光学系によって形成された光学像を電気的信号に変換する撮像素子とを備え、接眼光学系が、少なくとも一つのレンズを有し、最も観察者側に配置されたレンズの最も観察者側の面が観察者側に凸の形状に形成され、以下の条件式（２）を満足する。
（２）｜ＲＬ／ＫＬ｜＞２．０
但し、
ＲＬ：最も観察者側の面の曲率半径
ＫＬ：最も観察者側のレンズにおけるコバ面の厚み
とする。
【０１２１】
条件式（２）は最も観察者側の面の曲率半径と最も観察者側のレンズにおけるコバ面の厚みとの関係を表す式である。
【０１２２】
条件式（２）の上限を超えて最も観察者側の面の曲率半径が大きくなると、全反射条件を満足しなくなり、コバ面に達した迷光が最も観察者側の面を透過されて観察者に届いてしまう。
【０１２３】
一方、最も観察者側のレンズにおけるコバ面の厚みが大きくなった場合にも全反射条件を満足できない領域が発生し、コバ面に達した迷光が最も観察者側の面を透過されて観察者に届いてしまう。
【０１２４】
接眼光学系が条件式（２）を満足することにより、例えば、図３の概念図に示すように、第３レンズ群ＧＲ３（第３レンズＧ３）のコバ面Ｋ３に達した迷光が、第３レンズ群ＧＲ３の最も観察者側の面に大きな角度で入射される。
【０１２５】
従って、迷光が最も観察者側の面で全反射されて観察者側に透過されず、観察者において迷光が有害光として発生せず接眼光学系の良好な品質を確保することができる。
【０１２６】
また、別の本技術撮像装置にあっては、接眼光学系が、コバ面に達した迷光が観察者の眼に届かないため、従来必要とされていたマージンＭを小さくすることができ、その分、レンズの径方向における小型化を図ることができる。特に、小型化及び高倍率化を図る場合には、観察者側に配置されるレンズの径が大きくなってしまうため、条件式（２）を満足することにより、有害光の発生を抑制した上で小型化及び高倍率化を確保することができる。
【０１２７】
さらに、レンズの全体、即ち、レンズの外周までを正規光の通過領域にすることができるので、小型化を確保した上で広い視野角、例えば、３１°以上の視野角とハイアイポイントを両立することができる。
【０１２８】
さらにまた、黒色等の塗装（墨塗り）等のレンズの製造後の二次工程が必要なく、レンズの製造コストの低減、歩留まりの向上及び安定した品質の確保を図ることができる。
【０１２９】
［撮像装置の一実施形態］
図７に、本技術撮像装置の一実施形態によるデジタルスチルカメラのブロック図を示す。
【０１３０】
撮像装置（デジタルスチルカメラ）１００は、撮像機能を担うカメラブロック１０と、撮影された画像信号のアナログ−デジタル変換等の信号処理を行うカメラ信号処理部２０と、画像信号の記録再生処理を行う画像処理部３０とを有している。また、撮像装置１００は、撮影された画像等を表示するＬＣＤ（Liquid Crystal Display）等の表示部４０と、メモリーカード１０００への画像信号の書込及び読出を行うＲ／Ｗ（リーダ／ライタ）５０と、撮像装置の全体を制御するＣＰＵ（Central Processing Unit）６０と、ユーザーによって所要の操作が行われる各種のスイッチ等から成る入力部７０と、カメラブロック１０に配置されたレンズの駆動を制御するレンズ駆動制御部８０とを備えている。
【０１３１】
カメラブロック１０は、撮像光学系１１とＣＣＤ（Charge Coupled Device）やＣＭＯＳ（Complementary Metal-Oxide Semiconductor）等の撮像素子１２と接眼光学系１３（本技術が適用される接眼光学系１０）とを備えている。
【０１３２】
カメラ信号処理部２０は、撮像素子１２からの出力信号に対するデジタル信号への変換、ノイズ除去、画質補正、輝度・色差信号への変換等の各種の信号処理を行う。
【０１３３】
画像処理部３０は、所定の画像データーフォーマットに基づく画像信号の圧縮符号化・伸張復号化処理や解像度等のデーター仕様の変換処理等を行う。
【０１３４】
表示部４０はユーザーの入力部７０に対する操作状態や撮影した画像等の各種のデーターを表示する機能を有している。
【０１３５】
Ｒ／Ｗ５０は、画像処理部３０によって符号化された画像データーのメモリーカード１０００への書込及びメモリーカード１０００に記録された画像データーの読出を行う。
【０１３６】
ＣＰＵ６０は、撮像装置１００に設けられた各回路ブロックを制御する制御処理部として機能し、入力部７０からの指示入力信号等に基づいて各回路ブロックを制御する。
【０１３７】
入力部７０は、例えば、シャッター操作を行うためのシャッターレリーズボタンや、動作モードを選択するための選択スイッチ等によって構成され、ユーザーによる操作に応じた指示入力信号をＣＰＵ６０に対して出力する。
【０１３８】
レンズ駆動制御部８０は、ＣＰＵ６０からの制御信号に基づいて撮像光学系１１の各レンズを駆動する図示しないモータ等を制御する。
【０１３９】
メモリーカード１０００は、例えば、Ｒ／Ｗ５０に接続されたスロットに対して着脱可能な半導体メモリーである。
【０１４０】
以下に、撮像装置１００における動作を説明する。
【０１４１】
撮影の待機状態では、ＣＰＵ６０による制御の下で、カメラブロック１０において撮影された画像信号が、カメラ信号処理部２０を介して表示部４０に出力され、カメラスルー画像として表示される。また、入力部７０からのズーミングのための指示入力信号が入力されると、ＣＰＵ６０がレンズ駆動制御部８０に制御信号を出力し、レンズ駆動制御部８０の制御に基づいて撮像光学系１１の所定のレンズが移動される。
【０１４２】
入力部７０からの指示入力信号によりカメラブロック１０の図示しないシャッターが動作されると、撮影された画像信号がカメラ信号処理部２０から画像処理部３０に出力されて圧縮符号化処理され、所定のデーターフォーマットのデジタルデーターに変換される。変換されたデーターはＲ／Ｗ５０に出力され、メモリーカード１０００に書き込まれる。
【０１４３】
フォーカシングは、例えば、入力部７０のシャッターレリーズボタンが半押しされた場合や記録（撮影）のために全押しされた場合等に、ＣＰＵ６０からの制御信号に基づいてレンズ駆動制御部８０が撮像光学系１１の所定のレンズを移動させることにより行われる。
【０１４４】
メモリーカード１０００に記録された画像データーを再生する場合には、入力部７０に対する操作に応じて、Ｒ／Ｗ５０によってメモリーカード１０００から所定の画像データーが読み出され、画像処理部３０によって伸張復号化処理が行われた後、再生画像信号が表示部４０に出力されて再生画像が表示される。
【０１４５】
尚、上記した実施の形態においては、撮像装置をデジタルスチルカメラに適用した例を示したが、撮像装置の適用範囲はデジタルスチルカメラに限られることはなく、デジタルビデオカメラ、カメラが組み込まれた携帯電話、カメラが組み込まれたＰＤＡ（Personal Digital Assistant）等のデジタル入出力機器のカメラ部等として広く適用することができる。
【０１４６】
［その他］
本技術接眼光学系及び本技術撮像装置においては、実質的にレンズパワーを有さないレンズが配置されていてもよく、このようなレンズを含むレンズが第１レンズ群乃至第３レンズ群に加えて配置されていてもよい。この場合には、本技術接眼光学系及び本技術撮像装置が、第１レンズ群乃至第３レンズ群に加えて配置されたレンズを含めて実質的に４群以上のレンズ群によって構成されていてもよい。
【０１４７】
［本技術］
本技術は、以下の構成にすることもできる。
【０１４８】
＜１＞少なくとも一つのレンズを有し、最も観察者側に配置されたレンズの最も観察者側の面が観察者側に凸の形状に形成され、以下の条件式（１）を満足する。
（１）｜ＲＬ／ＤＨ｜＜１．７
但し、
ＲＬ：最も観察者側の面の曲率半径
ＤＨ：最も観察者側のレンズの光軸からコバ面までの径方向における最短距離
とする。
【０１４９】
＜２＞少なくとも一つのレンズを有し、最も観察者側に配置されたレンズの最も観察者側の面が観察者側に凸の形状に形成され、以下の条件式（２）を満足する接眼光学系。
（２）｜ＲＬ／ＫＬ｜＞２．０
但し、
ＲＬ：最も観察者側の面の曲率半径
ＫＬ：最も観察者側のレンズにおけるコバ面の厚み
とする。
【０１５０】
＜３＞前記最も観察者側に配置されたレンズとその隣に配置されたレンズとの空気間隔が、光軸からの径方向における距離に拘わらず０．５ｍｍ以下にされた前記＜１＞に記載の接眼光学系。
【０１５１】
＜４＞前記最も観察者側に配置されたレンズとその隣に配置されたレンズとの空気間隔が、光軸からの径方向における距離に拘わらず０．５ｍｍ以下にされた前記＜２＞に記載の接眼光学系。
【０１５２】
＜５＞物体側より観察者側へ順に正レンズと負レンズと正レンズが配置された前記＜１＞又は前記＜３＞に記載の接眼光学系。
【０１５３】
＜６＞物体側より観察者側へ順に正レンズと負レンズと正レンズが配置された前記＜２＞又は前記＜４＞に記載の接眼光学系。
【０１５４】
＜７＞被写体の像を光学像として取り込む撮像光学系と前記被写体の像を視認するための接眼光学系と前記撮像光学系によって形成された光学像を電気的信号に変換する撮像素子とを備え、前記接眼光学系は、少なくとも一つのレンズを有し、最も観察者側に配置されたレンズの最も観察者側の面が観察者側に凸の形状に形成され、以下の条件式（１）を満足する撮像装置。
（１）｜ＲＬ／ＤＨ｜＜１．７
但し、
ＲＬ：最も観察者側の面の曲率半径
ＤＨ：最も観察者側のレンズの光軸からコバ面までの径方向における最短距離
とする。
【０１５５】
＜８＞被写体の像を光学像として取り込む撮像光学系と前記被写体の像を視認するための接眼光学系と前記撮像光学系によって形成された光学像を電気的信号に変換する撮像素子とを備え、前記接眼光学系は、少なくとも一つのレンズを有し、最も観察者側に配置されたレンズの最も観察者側の面が観察者側に凸の形状に形成され、以下の条件式（２）を満足する撮像装置。
（２）｜ＲＬ／ＫＬ｜＞２．０
但し、
ＲＬ：最も観察者側の面の曲率半径
ＫＬ：最も観察者側のレンズにおけるコバ面の厚み
とする。
【０１５６】
＜９＞実質的にレンズパワーを有さないレンズがさらに配置されている前記＜１＞から前記＜６＞の何れかに記載の接眼光学系又は前記＜７＞若しくは前記＜８＞に記載の撮像装置。
【０１５７】
上記した各実施の形態において示した各部の形状及び数値は、何れも本技術を実施するための具体化のほんの一例に過ぎず、これらによって本技術の技術的範囲が限定的に解釈されることがあってはならないものである。
【図面の簡単な説明】
【０１５８】
【図１】図２乃至図７と共に本技術接眼光学系及び撮像装置を実施するための最良の形態を示すものであり、本図は、接眼光学系の概要を示す図である。
【図２】第３レンズ群を示す図である。
【図３】第３レンズのコバ面で反射された光の進行方向を示す概念図である。
【図４】第３レンズ群の径方向における小型化を説明するための図である。
【図５】第２レンズのコバ面で反射された光の進行方向を示す概念図である。
【図６】接眼光学系の実施の形態のレンズ構成を示す図である。
【図７】撮像装置の一例を示すブロック図である。
【符号の説明】
【０１５９】
１０…接眼光学系、１…接眼光学系、２…接眼光学系、３…接眼光学系、４…接眼光学系、Ｇ１…正レンズ、Ｇ２…負レンズ、Ｇ３…正レンズ、１００…撮像装置、１２…撮像素子、１３…接眼光学系
【図１】
2013152290.tif 000013
【図２】
2013152290.tif 000014
【図３】
2013152290.tif 000015
【図４】
2013152290.tif 000016
【図５】
2013152290.tif 000017
【図６】
2013152290.tif 000018
【図７】
2013152290.tif 000019